(57)【要約】  効果的なＶ２Ｘ（vehicle-to-everything）通信をサポートするために、ＰＣ５インターフェース上の混雑測定のためにチャネル混雑率（ＣＢＲ：channel busy ratio）が定義されることにより、ｅＮＢ（eNodeB）は、Ｖ２Ｘ通信のために使用されるリソースプール別にサイドリンクチャネルのＣＢＲ情報を端末（ＵＥ：user equipment）に送信する。これを受信した端末は、使用可能な ＣＢＲがあるか否かを決定し、使用可能なＣＢＲがないと決定された場合、前記受信したＣＢＲ情報を使用することができる。【選択図】  図４
2019533380.tif 000002
【特許請求の範囲】
【請求項１】
無線通信システムでｅＮＢ（ｅＮｏｄｅＢ）によるチャネル混雑率（ＣＢＲ：channel busy ratio）情報を送信する方法において、
Ｖ２Ｘ（vehicle-to-everything）通信のために使用されるリソースプール別にサイドリンクチャネルのＣＢＲ情報を端末（ＵＥ：user equipment）に送信することを含む方法。
【請求項２】
前記ＣＢＲ情報は、０と１００間の百分率で表示されるＣＢＲ値を含むことを特徴とする請求項１に記載の方法。
【請求項３】
前記ＣＢＲ値は、特定の時間区間の間にＳ−ＲＳＳＩ（sidelink received signal strength indicator）が閾値を超過するサブチャネルの部分の割合であることを特徴とする請求項２に記載の方法。
【請求項４】
前記ＣＢＲ情報は、前記リソースプールのＩＤ（identity）に関する情報を含むことを特徴とする請求項１に記載の方法。
【請求項５】
前記ＣＢＲ情報は、前記Ｖ２Ｘ通信のためのＳＩＢ（system information block type）２１を介して前記セル内の全ての端末に放送されて送信されることを特徴とする請求項１に記載の方法。
【請求項６】
無線通信システムで端末（ＵＥ：user equipment）によるチャネル混雑率（ＣＢＲ：channel busy ratio）情報を使用する方法において、
Ｖ２Ｘ（vehicle-to-everything）通信のために使用されるリソースプール別にサイドリンクチャネルのＣＢＲ情報をｅＮＢ（ｅＮｏｄｅＢ）から受信し、
使用可能なＣＢＲがあるか否かを決定し、及び
使用可能なＣＢＲがないと決定された場合、前記受信したＣＢＲ情報を使用することを含む方法。
【請求項７】
使用可能なＣＢＲがあると決定された場合、前記受信したＣＢＲ情報は無視されることを特徴とする請求項６に記載の方法。
【請求項８】
前記ＣＢＲ情報は、０と１００間の百分率で表示されるＣＢＲ値を含むことを特徴とする請求項６に記載の方法。
【請求項９】
前記ＣＢＲ値は、特定の時間区間の間にＳ−ＲＳＳＩ（sidelink received signal strength indicator）が閾値を超過するサブチャネルの部分の割合であることを特徴とする請求項８に記載の方法。
【請求項１０】
前記ＣＢＲ情報は、前記リソースプールのＩＤ（identity）に関する情報を含むことを特徴とする請求項６に記載の方法。
【請求項１１】
前記ＣＢＲ情報は、前記Ｖ２Ｘ通信のためのＳＩＢ（system information block type）２１を介して受信されることを特徴とする請求項６に記載の方法。
【請求項１２】
無線通信システムで端末（ＵＥ：user equipment）において、
メモリと、
送受信部と、
前記メモリ及び前記送受信部と接続されるプロセッサとを含み、
前記プロセッサは、
Ｖ２Ｘ（vehicle-to-everything）通信のために使用されるリソースプール別にサイドリンクチャネルのチャネル混雑率（ＣＢＲ：channel busy ratio）情報をｅＮＢ（ｅＮｏｄｅＢ）から受信するように前記送受信部を制御し、
使用可能なＣＢＲがあるか否かを決定し、及び
使用可能なＣＢＲがないと決定された場合、前記受信したＣＢＲ情報を使用することを特徴とする端末。
【発明の詳細な説明】
【技術分野】
【０００１】
本発明は、無線通信に関し、より詳細には、無線通信システムにおいてサイドリンクチャネル混雑率（ＣＢＲ：channel busy ratio）を送信する方法及び装置に関する。
【背景技術】
【０００２】
３ＧＰＰ ＬＴＥは、高速パケット通信を可能とするための技術である。ＬＴＥ目標であるユーザと事業者の費用節減、サービス品質向上、カバレッジ拡張及びシステム容量増大のために多くの方式が提案された。３ＧＰＰ ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００３】
広く普及したＬＴＥ基盤のネットワークは、自動車産業が“接続された自動車（connected car）”という概念を実現することができる機会を提供するため、ＬＴＥ基盤のＶ２Ｘ（vehicle-to-everything）が市場から緊急に要求されている。特に、Ｖ２Ｖ（vehicle-to-vehicle）通信のための市場は、研究プロジェクト、フィールドテスト及び規制業務のような関連活動が米国、ヨーロッパ、日本、韓国及び中国のような一部国家または地域で既に進行中であり、または開始されることが予想される。
【０００４】
３ＧＰＰは、このような状況に対応するためにＬＴＥ基盤のＶ２Ｘに対する研究及び仕様作業を積極的に進行している。ＬＴＥ基盤のＶ２Ｘのうち、ＰＣ５基盤のＶ２Ｖに対する議論が最優先的に進行している。ＬＴＥサイドリンク（ＳＬ：sidelink）リソース割当、物理階層構造及び同期化などの改善と共に、ＬＴＥのＰＣ５インターフェースに基づいてＶ２Ｖサービスをサポートすることが可能である。
【０００５】
効果的なＶ２Ｘ通信をサポートするために、ＰＣ５インターフェース上の混雑測定のためにチャネル混雑率（ＣＢＲ：channel busy ratio）が定義されることができる。ＣＢＲと関連して多様な側面が議論中である。
【発明の概要】
【発明が解決しようとする課題】
【０００６】
本発明は、無線通信システムにおいてサイドリンクチャネル混雑率（ＣＢＲ：channel busy ratio）を送信する方法及び装置を提供する。本発明は、ネットワークがセル内の全ての端末にＣＢＲ情報を放送する方法を提供する。本発明は、端末（ＵＥ：user equipment）が使用可能なＣＢＲがない場合、ネットワークから放送されたＣＢＲ情報を使用する方法を提供する。
【課題を解決するための手段】
【０００７】
一態様において、無線通信システムでｅＮＢ（ｅＮｏｄｅＢ）によるチャネル混雑率（ＣＢＲ：channel busy ratio）情報を送信する方法が提供される。前記方法は、Ｖ２Ｘ（vehicle-to-everything）通信のために使用されるリソースプール別にサイドリンクチャネルのＣＢＲ情報を端末（ＵＥ：user equipment）に送信することを含む。
【０００８】
他の態様において、無線通信システムで端末（ＵＥ：user equipment）によるチャネル混雑率（ＣＢＲ：channel busy ratio）情報を使用する方法が提供される。前記方法は、Ｖ２Ｘ（vehicle-to-everything）通信のために使用されるリソースプール別にサイドリンクチャネルのＣＢＲ情報をｅＮＢ（ｅＮｏｄｅＢ）から受信し、使用可能なＣＢＲがあるか否かを決定し、及び使用可能なＣＢＲがないと決定された場合、前記受信したＣＢＲ情報を使用することを含む。
【０００９】
他の態様において、無線通信システムで端末（ＵＥ：user equipment）が提供される。前記端末は、メモリ、送受信部、及び前記メモリ及び前記送受信部と接続されるプロセッサを含む。前記プロセッサは、Ｖ２Ｘ（vehicle-to-everything）通信のために使用されるリソースプール別にサイドリンクチャネルのチャネル混雑率（ＣＢＲ：channel busy ratio）情報をｅＮＢ（ｅＮｏｄｅＢ）から受信するように前記送受信部を制御し、使用可能なＣＢＲがあるか否かを決定し、及び使用可能なＣＢＲがないと決定された場合、前記受信したＣＢＲ情報を使用することを特徴とする。
【発明の効果】
【００１０】
セル内の全てのＵＥがＣＢＲ情報を使用できるようになることにより、Ｖ２Ｘ送信パターン／パラメータが効果的に調整できる。
【図面の簡単な説明】
【００１１】
【図１】図１は、３ＧＰＰ ＬＴＥシステムの構造を示す。
【図２】図２は、ＬＴＥシステムのユーザ平面プロトコルスタックのブロック図である。
【図３】図３は、ＬＴＥシステムの制御平面プロトコルスタックのブロック図である。
【図４】図４は、本発明の一実施形態によってｅＮＢがＣＢＲ情報を送信する方法を示す。
【図５】図５は、本発明の一実施形態によってＵＥがＣＢＲ情報を使用する方法を示す。
【図６】図６は、本発明の実施形態が実現される無線通信システムを示す。
【発明を実施するための形態】
【００１２】
図１は、３ＧＰＰ ＬＴＥシステムの構造を示す。図１を参照すると、３ＧＰＰ ＬＴＥ（long-term evolution）システム構造は、１つ以上のユーザ端末（ＵＥ：user equipment）１０、Ｅ−ＵＴＲＡＮ（evolved-UMTS terrestrial radio access network）及びＥＰＣ（evolved packet core）を含む。ＵＥ１０は、ユーザにより動く通信装置である。ＵＥ１０は、固定されてもよいし、移動性を有してもよく、ＭＳ（mobile station）、ＵＴ（user terminal）、ＳＳ（subscriber station）、無線機器（wireless device）等、他の用語で呼ばれることもある。
【００１３】
Ｅ−ＵＴＲＡＮは、１つ以上のｅＮＢ（evolved NodeB）２０を含み、１つのセルに複数のＵＥが存在できる。ｅＮＢ２０は、制御平面（control plane）とユーザ平面（user plane）の終端店をＵＥ１０に提供する。ｅＮＢ２０は、一般的にＵＥ１０と通信する固定局（fixed station）を意味し、ＢＳ（base station）、アクセスポイント（access point）等、他の用語で呼ばれることもある。１つのｅＮＢ２０は、セル毎に配置されることができる。
【００１４】
以下、ダウンリンク（ＤＬ：downlink）は、ｅＮＢ２０からＵＥ１０への通信を意味する。アップリンク（ＵＬ：uplink）は、ＵＥ１０からｅＮＢ２０への通信を意味する。サイドリンク（ＳＬ：sidelink）は、ＵＥ１０間の通信を意味する。ＤＬにおいて、送信機はｅＮＢ２０の一部であり、受信機はＵＥ１０の一部である。ＵＬにおいて、送信機はＵＥ１０の一部であり、受信機はｅＮＢ２０の一部である。ＳＬにおいて、送信機と受信機はＵＥ１０の一部である。
【００１５】
ＥＰＣは、ＭＭＥ（mobility managem ententity）とＳ−ＧＷ（serving gateway）を含む。ＭＭＥ／Ｓ−ＧＷ３０は、ネットワークの終端に位置する。ＭＭＥ／Ｓ−ＧＷ３０は、ＵＥ１０のためのセッション及び移動性管理機能の終端店を提供する。説明の便宜のために、ＭＭＥ／Ｓ−ＧＷ３０は、“ゲートウェイ”で単純に表現し、これはＭＭＥ及びＳ−ＧＷを両方とも含むことができる。ＰＤＮ（packet data network）ゲートウェイ（Ｐ−ＧＷ）は、外部ネットワークと連結されることができる。
【００１６】
ＭＭＥは、ｅＮＢ２０へのＮＡＳ（non-access stratum）シグナリング、ＮＡＳシグナリングセキュリティ、ＡＳ（access stratum）セキュリティ制御、３ＧＰＰアクセスネットワーク間の移動性のためのｉｎｔｅｒ ＣＮ（core network）ノードシグナリング、アイドルモード端末到達可能性（ページング再送信の制御及び実行を含む）、トラッキング領域リスト管理（アイドルモード及び活性化モードであるＵＥのために）、Ｐ−ＧＷ及びＳ−ＧＷ選択、ＭＭＥ変更と共にハンドオーバのためのＭＭＥ選択、２Ｇまたは３Ｇ ３ＧＰＰアクセスネットワークへのハンドオーバのためのＳＧＳＮ（serving GPRS support node）選択、ローミング、認証、専用ベアラ設定を含むベアラ管理機能、ＰＷＳ（public warning system：ＥＴＷＳ（earthquake and tsunami warning system）及びＣＭＡＳ（commercial mobile alert system）を含む）メッセージ送信サポートなどの多様な機能を提供する。Ｓ−ＧＷホストは、ユーザ別基盤のパケットフィルタリング（例えば、深層パケット検査を介して）、合法的遮断、端末ＩＰ（internet protocol）アドレス割当、ＤＬで送信レベルパッキングマーキング、ＵＬ／ＤＬサービスレベル課金、ゲーティング及び等級強制、ＡＰＮ−ＡＭＢＲ（access point name aggregate maximum bit rate）に基づくＤＬ等級強制の各種機能を提供する。
【００１７】
ユーザトラフィック送信または制御トラフィック送信のためのインターフェースが使われることができる。ＵＥ１０とｅＮＢ２０は、Ｕｕインターフェースにより連結される。ＵＥ１０間は、ＰＣ５インターフェースにより連結される。ｅＮＢ２０間は、Ｘ２インターフェースにより連結される。隣接するｅＮＢ２０は、Ｘ２インターフェースによる網型ネットワーク構造を有することができる。ｅＮＢ２０とゲートウェイ３０は、Ｓ１インターフェースを介して連結される。
【００１８】
図２は、ＬＴＥシステムのユーザ平面プロトコルスタックのブロック図である。図３は、ＬＴＥシステムの制御平面プロトコルスタックのブロック図である。ＵＥとＥ−ＵＴＲＡＮとの間の無線インターフェースプロトコルの階層は、通信システムで広く知られたＯＳＩ（open system interconnection）モデルの下位３個階層に基づいてＬ１（第１の階層）、Ｌ２（第２の階層）及びＬ３（第３の階層）に分けられる。
【００１９】
物理階層（ＰＨＹ：physical layer）は、Ｌ１に属する。物理階層は、物理チャネルを介して上位階層に情報送信サービスを提供する。物理階層は、上位階層であるＭＡＣ（media access control）階層とトランスポートチャネル（transport channel）を介して連結される。物理チャネルは、トランスポートチャネルにマッピングされる。トランスポートチャネルを介してＭＡＣ階層と物理階層との間にデータが送信される。互いに異なる物理階層間、即ち、送信機の物理階層と受信機の物理階層との間のデータは、物理チャネルを介して送信される。
【００２０】
ＭＡＣ階層、ＲＬＣ（radio link control）階層及びＰＤＣＰ（packet data convergence protocol）階層は、Ｌ２に属する。ＭＡＣ階層は、論理チャネル（logical channel）を介して上位階層であるＲＬＣ階層にサービスを提供する。ＭＡＣ階層は、論理チャネル上のデータ送信サービスを提供する。ＲＬＣ階層は、信頼性のあるデータ送信をサポートする。一方、ＲＬＣ階層の機能は、ＭＡＣ階層内部の機能ブロックで実現されることができ、このとき、ＲＬＣ階層は、存在しないこともある。ＰＤＣＰ階層は、相対的に帯域幅が小さい無線インターフェース上でＩＰｖ４またはＩＰｖ６のようなＩＰパケットを導入して送信されるデータが効率的に送信されるように不要な制御情報を減らすヘッダ圧縮機能を提供する。
【００２１】
ＲＲＣ（radio resource control）階層は、Ｌ３に属する。Ｌ３の最も下段部分に位置するＲＲＣ階層は、制御平面でのみ定義される。ＲＲＣ階層は、ＲＢ（radio bearer）の設定（configuration）、再設定（re-configuration）及び解除（release）と関連して論理チャネル、トランスポートチャネル及び物理チャネルの制御を担当する。ＲＢは、ＵＥとＥ−ＵＴＲＡＮとの間のデータ送信のためにＬ２により提供されるサービスを意味する。
【００２２】
図２を参照すると、ＲＬＣ及びＭＡＣ階層（ネットワーク側でｅＮＢで終了）は、スケジューリング、ＡＲＱ及びＨＡＲＱ（hybrid automatic repeat request）のような機能を遂行することができる。ＰＤＣＰ階層（ネットワーク側でｅＮＢで終了）は、ヘッダ圧縮、無欠性保護及び暗号化のようなユーザ平面機能を遂行することができる。
【００２３】
図３を参照すると、ＲＬＣ／ＭＡＣ階層（ネットワーク側でｅＮＢで終了）は、制御平面のために同じ機能を遂行することができる。ＲＲＣ階層（ネットワーク側でｅＮＢで終了）は、放送、ページング、ＲＲＣ接続管理、ＲＢ制御、移動性機能及びＵＥ測定報告及び制御のような機能を遂行することができる。ＮＡＳ制御プロトコル（ネットワーク側でゲートウェイのＭＭＥで終了）は、ＳＡＥベアラ管理、認証、ＬＴＥ＿ＩＤＬＥ移動性管理、ＬＴＥ＿ＩＤＬＥでのページング開始及びゲートウェイとＵＥとの間のシグナリングのためのセキュリティ制御のような機能を遂行することができる。
【００２４】
物理チャネルは、無線リソースを介してＵＥの物理階層とｅＮＢの物理階層との間のシグナリング及びデータを送信する。物理チャネルは、時間領域で複数のサブフレームと周波数領域で複数の副搬送波とで構成される。１ｍｓである１つのサブフレームは、時間領域で複数のシンボルで構成される。該当サブフレームの特定シンボル、例えば、サブフレームの最初のシンボルは、ＰＤＣＣＨのために使われることができる。ＰＤＣＣＨは、ＰＲＢ（physical resource block）及びＭＣＳ（modulation and coding schemes）のように動的に割り当てられたリソースを送信することができる。
【００２５】
ＤＬトランスポートチャネルは、システム情報を送信するために使われるＢＣＨ（broadcast channel）、ＵＥをページングするために使われるＰＣＨ（paging channel）、ユーザトラフィックまたは制御信号を送信するために使われるＤＬ−ＳＣＨ（downlink shared channel）、マルチキャストまたは放送サービス送信のために使われるＭＣＨ（multicast channel）を含む。ＤＬ−ＳＣＨは、ＨＡＲＱ、変調、コーディング及び送信電力の変化による動的リンク適応及び動的／半静的リソース割当をサポートする。また、ＤＬ−ＳＣＨは、セル全体に放送及びビームフォーミングの使用を可能にすることができる。
【００２６】
ＵＬトランスポートチャネルは、一般的にセルへの初期接続のために使われるＲＡＣＨ（random access channel）、ユーザトラフィックまたは制御信号を送信するために使われるＵＬ−ＳＣＨ（uplink shared channel）を含む。ＵＬ−ＳＣＨは、ＨＡＲＱ及び送信電力及び潜在的な変調及びコーディングの変化による動的リンク適応をサポートする。また、ＵＬ−ＳＣＨは、ビームフォーミングの使用を可能にすることができる。
【００２７】
論理チャネルは、送信される情報の種類によって、制御平面の情報伝達のための制御チャネルとユーザ平面の情報伝達のためのトラフィックチャネルとに分類される。即ち、論理チャネルタイプのセットは、ＭＡＣ階層により提供される互いに異なるデータ送信サービスのために定義される。
【００２８】
制御チャネルは、制御平面の情報伝達のみのために使われる。ＭＡＣ階層により提供される制御チャネルは、ＢＣＣＨ（broadcast control channel）、ＰＣＣＨ（paging control channel）、ＣＣＣＨ（common control channel）、ＭＣＣＨ（multicast control channel）及びＤＣＣＨ（dedicated control channel）を含む。ＢＣＣＨは、システム制御情報を放送するためのＤＬチャネルである。ＰＣＣＨは、ページング情報の送信のためのＤＬチャネルであり、ネットワークがＵＥのセル単位の位置を知らない時に使われる。ＣＣＣＨは、ネットワークとＲＲＣ接続を有しないとき、ＵＥにより使われる。ＭＣＣＨは、ネットワークからＵＥにＭＢＭＳ（multimedia broadcast multicast services）制御情報を送信するために使われる一対多のＤＬチャネルである。ＤＣＣＨは、ＵＥとネットワークとの間に専用制御情報送信のためにＲＲＣ接続を有するＵＥにより使われる一対一の双方向チャネルである。
【００２９】
トラフィックチャネルは、ユーザ平面の情報伝達のみのために使われる。ＭＡＣ階層により提供されるトラフィックチャネルは、ＤＴＣＨ（dedicated traffic channel）及びＭＴＣＨ（multicast traffic channel）を含む。ＤＴＣＨは、一対一のチャネルで１つのＵＥのユーザ情報の送信のために使われ、ＵＬ及びＤＬの両方ともに存在できる。ＭＴＣＨは、ネットワークからＵＥにトラフィックデータを送信するための一対多のＤＬチャネルである。
【００３０】
論理チャネルとトランスポートチャネルとの間のＵＬ連結は、ＵＬ−ＳＣＨにマッピングされることができるＤＣＣＨ、ＵＬ−ＳＣＨにマッピングされることができるＤＴＣＨ及びＵＬ−ＳＣＨにマッピングされることができるＣＣＣＨを含む。論理チャネルとトランスポートチャネルとの間のＤＬ連結は、ＢＣＨまたはＤＬ−ＳＣＨにマッピングされることができるＢＣＣＨ、ＰＣＨにマッピングされることができるＰＣＣＨ、ＤＬ−ＳＣＨにマッピングされることができるＤＣＣＨ、ＤＬ−ＳＣＨにマッピングされることができるＤＴＣＨ、ＭＣＨにマッピングされることができるＭＣＣＨ及びＭＣＨにマッピングされることができるＭＴＣＨを含む。
【００３１】
ＲＲＣ状態は、ＵＥのＲＲＣ階層がＥ−ＵＴＲＡＮのＲＲＣ階層と論理的に接続されているかどうかを指示する。ＲＲＣ状態は、ＲＲＣ接続状態（ＲＲＣ＿ＣＯＮＮＥＣＴＥＤ）及びＲＲＣアイドル状態（ＲＲＣ＿ＩＤＬＥ）のように２つに分けられる。ＲＲＣ＿ＩＤＬＥで、ＵＥがＮＡＳにより設定されたＤＲＸ（discontinuous reception）を指定する間に、ＵＥは、システム情報及びページング情報の放送を受信することができる。そして、ＵＥは、トラッキング領域でＵＥを固有に指定するＩＤ（identification）の割当を受け、ＰＬＭＮ（public land mobile network）選択及びセル再選択を実行することができる。また、ＲＲＣ＿ＩＤＬＥで、いかなるＲＲＣコンテキストもｅＮＢに格納されない。
【００３２】
ＲＲＣ＿ＣＯＮＮＥＣＴＥＤで、ＵＥは、Ｅ−ＵＴＲＡＮでＥ−ＵＴＲＡＮ ＲＲＣ接続及びコンテキストを有し、ｅＮＢにデータを送信及び／またはｅＮＢからデータを受信することが可能である。また、ＵＥは、ｅＮＢにチャネル品質情報及びフィードバック情報を報告することができる。ＲＲＣ＿ＣＯＮＮＥＣＴＥＤで、Ｅ−ＵＴＲＡＮは、ＵＥが属するセルを知ることができる。したがって、ネットワークは、ＵＥにデータを送信及び／またはＵＥからデータを受信することができ、ＵＥの移動性（ハンドオーバ及びＮＡＣＣ（network assisted cell change）を介したＧＥＲＡＮ（GSM（登録商標） EDGE radio access network）にｉｎｔｅｒ−ＲＡＴ（radio access technology）セル変更指示）を制御することができ、隣接セルのためにセル測定を実行することができる。
【００３３】
ＲＲＣ＿ＩＤＬＥで、ＵＥは、ページングＤＲＸ周期を指定する。具体的に、ＵＥは、ＵＥ特定ページングＤＲＸ周期毎の特定ページング機会（paging occasion）にページング信号をモニタする。ページング機会は、ページング信号が送信される間の時間区間である。ＵＥは、自分のみのページング機会を有している。ページングメッセージは、同じトラッキング領域（ＴＡ：tracking area）に属する全てのセル上に送信される。ＵＥが１つのＴＡから他のＴＡに移動すると、ＵＥは、自分の位置をアップデートするためにネットワークにＴＡＵ（tracking area update）メッセージを送信することができる。
【００３４】
サイドリンク（sidelink）が説明される。サイドリンクは、サイドリンク通信（sidelink communication）とサイドリンク発見（sidelink discovery）のためのＵＥ間のインターフェースである。サイドリンクは、ＰＣ５インターフェースに対応する。サイドリンク通信は、２つ以上の近接したＵＥがどのようなネットワークノードも経ずにＥ−ＵＴＲＡ技術を使用してＰｒｏＳｅ（proximity-based services）直接通信を可能にするＡＳ機能である。サイドリンク発見は、２つ以上の近接したＵＥがどんなネットワークノードも経ずにＥ−ＵＴＲＡ技術を使用してＰｒｏＳｅ直接発見を可能にするＡＳ機能である。
【００３５】
サイドリンク物理チャネルは、ＵＥから送信されるシステム及び同期化関連情報を伝達するＰＳＢＣＨ（physical sidelink broadcast channel）、ＵＥから送信されるサイドリンク発見メッセージを伝達するＰＳＤＣＨ（physical sidelink discovery channel）、ＵＥから送信されるサイドリンク通信に対する制御信号を伝達するＰＳＣＣＨ（physical sidelink control channel）及びＵＥから送信されるサイドリンク通信に対するデータを伝達するＰＳＳＣＨ（physical sidelink shared channel）を含む。サイドリンク物理チャネルは、サイドリンクトランスポートチャネルにマッピングされる。ＰＳＢＣＨは、ＳＬ−ＢＣＨ（sidelink broadcast channel）にマッピングされる。ＰＳＤＣＨは、ＳＬ−ＤＣＨ（sidelink discovery channel）にマッピングされる。ＰＳＳＣＨは、ＳＬ−ＳＣＨ（sidelink shared channel）にマッピングされる。
【００３６】
サイドリンクでも、論理チャネルは、制御平面の情報伝達のための制御チャネルとユーザ平面の情報伝達のためのトラフィックチャネルとに分類される。サイドリンク制御チャネルは、１つのＵＥから他のＵＥにサイドリンクシステム情報を放送するためのサイドリンクチャネルであるＳＢＣＣＨ（sidelink broadcast control channel）を含む。ＳＢＣＣＨは、ＳＬ−ＢＣＨにマッピングされる。サイドリンクトラフィックチャネルは、１つのＵＥから他のＵＥにユーザ情報の送信のためのポイントツーマルチポイント（point-to-multipoint）チャネルであるＳＴＣＨ（sidelink traffic channel）を含む。ＳＴＣＨは、ＳＬ−ＳＣＨにマッピングされる。このチャネルは、サイドリンク通信が可能なＵＥのみを使用することができる。
【００３７】
サイドリンク通信は、ＵＥがＰＣ５インターフェースを介して直接通信できる通信モードである。この通信モードは、ＵＥがＥ−ＵＴＲＡＮによりサービスされる時及びＵＥがＥ−ＵＴＲＡカバレッジ外部にある時にサポートされる。公共安全（public safety）作業に使われるように権限が与えられたＵＥのみがサイドリンク通信を実行することができる。
【００３８】
サイドリンク通信をサポートするＵＥは、リソース割当のために次の２つのモードで動作できる。１番目のモードは、スケジューリングされたリソース割当（scheduled resource allocation）である。スケジューリングされたリソース割当は、モード１で呼ばれることもある。モード１で、ＵＥは、データを送信するためにＲＲＣ＿ＣＯＮＮＥＣＴＥＤにある必要がある。ＵＥは、ｅＮＢから送信リソースを要求する。ｅＮＢは、サイドリンク制御情報（ＳＣＩ：sidelink control information）及びデータの送信のための送信リソースをスケジューリングする。ＵＥは、ｅＮＢにスケジューリング要求（Ｄ−ＳＲ（dedicated scheduling request）またはランダムアクセス）を送信した後、サイドリンクＢＳＲ（buffer status report）を送る。サイドリンクＢＳＲに基づいて、ｅＮＢは、ＵＥがサイドリンク通信送信のためのデータを有していると決定でき、送信に必要なリソースを推定することができる。ｅＮＢは、構成されたＳＬ−ＲＮＴＩ（sidelink radio network temporary identity）を使用してサイドリンク通信のための送信リソースをスケジューリングすることができる。
【００３９】
２番目のモードは、ＵＥ自律リソース選択（UE autonomous resource selection）である。ＵＥ自律リソース選択は、モード２で呼ばれることもある。モード２で、ＵＥは、自体的にリソースプールからリソースを選択し、サイドリンク制御情報及びデータを送信するための送信フォーマットを選択する。カバレッジ外の動作のためにあらかじめ構成され、またはカバレッジ内の動作のためにＲＲＣシグナリングにより提供される最大８個のリソースプールがある。各リソースプールには１つ以上のＰＰＰＰ（ProSe per-packet priority）が連結されることができる。ＭＡＣ ＰＤＵ（protocol data unit）の送信のために、ＵＥは、ＭＡＣ ＰＤＵで識別された論理チャネルのうち最も高いＰＰＰＰを有する論理チャネルのＰＰＰＰと同じＰＰＰＰのうち１つがあるリソースプールを選択する。サイドリンク制御プールとサイドリンクデータプールは、一対一に関連づけられている。リソースプールが選択されると、全体サイドリンク制御周期の間に選択が有効である。サイドリンク制御周期が終了された後、ＵＥは、リソースプールを再び選択できる。
【００４０】
ＵＥは、公共安全ＰｒｏＳｅ搬送波上でセルを感知するたびにサイドリンク通信のためのカバレッジ内にあると見なされる。ＵＥがサイドリンク通信のためのカバレッジを外れた場合、ＵＥは、モード２のみを使用することができる。ＵＥがサイドリンク通信のためのカバレッジ内にある場合、ｅＮＢ構成によってモード１またはモード２を使用することができる。ＵＥがサイドリンク通信のためのカバレッジ内にある場合、例外的な場合のうち１つが発生しない限り、ＵＥは、ｅＮＢ構成により指示されたモード１のみを使用しなければならない。例外的な場合が発生すると、ＵＥは、モード１を使用するように構成されても、モード２を一時的に使用することができる。例外的な場合に使われるリソースプールは、ｅＮＢにより提供されることができる。
【００４１】
公共安全ＰｒｏＳｅ搬送波のセルは、次の２つのオプションのうちいずれか１つを選択することができる。まず、公共安全ＰｒｏＳｅ搬送波のセルは、ＳＩＢ１８でモード２のための送信リソースプールを提供することができる。サイドリンク通信が許可されたＵＥは、同じ搬送波（即ち、公共安全ＰｒｏＳｅ搬送波）のセルで、ＲＲＣ＿ＩＤＬＥでサイドリンク通信のためにこのリソースを使用することができる。サイドリンク通信のために許可されたＵＥは、異なる搬送波のセルで、ＲＲＣ＿ＩＤＬＥまたはＲＲＣ＿ＣＯＮＮＥＣＴＥＤでサイドリンク通信のためにこのリソースを使用することができる。
【００４２】
または、公共安全ＰｒｏＳｅ搬送波のセルは、ＳＩＢ１８でサイドリンク通信をサポートするが、送信リソースを提供しないことを示すことができる。ＵＥは、サイドリンク通信送信を実行するためにＲＲＣ＿ＣＯＮＮＥＣＴＥＤを進入する必要がある。この場合、公共安全ＰｒｏＳｅ搬送波のセルは、例外的な場合にＵＥが使用するモード２のための例外的な送信リソースプールを放送信号として提供できる。サイドリンク通信送信を実行するように許可されたＲＲＣ＿ＣＯＮＮＥＣＴＥＤのＵＥは、サイドリンク通信送信を実行することを所望するとサービングｅＮＢに指示する。ｅＮＢは、ＭＭＥから受信されたＵＥコンテキストを使用してＵＥがサイドリンク通信送信のために許可されたかどうかを検証する。ｅＮＢは、モード２のための送信リソースプールを有する専用シグナリングによりＵＥを構成することができる。このリソースは、ＵＥがＲＲＣ＿ＣＯＮＮＥＣＴＥＤにある間に制限無しで使われることができる。その代案として、ｅＮＢは、ＵＥが例外的な場合にのみ使用するように許容されたモード２のための例外的な送信リソースプールを使用するようにＵＥを構成することができ、そうでない場合、モード１に依存する。
【００４３】
ＵＥがサイドリンク通信のためのカバレッジを外れている時、サイドリンク制御情報のための送信及び受信リソースプールセットは、ＵＥ内にあらかじめ構成される。ＵＥがサイドリンク通信のためのカバレッジ内にある時、サイドリンク制御情報のためのリソースプールは、次のように構成される。受信のために使われるリソースプールは、放送シグナリングでＲＲＣを介してｅＮＢにより構成される。送信のために使われるリソースプールは、モード２が使われる場合、専用または放送シグナリングでＲＲＣを介してｅＮＢにより構成され、モード１が使われる場合、専用シグナリングでＲＲＣを介してｅＮＢにより構成される。ｅＮＢは、構成された受信プール内でサイドリンク制御情報送信のための特定リソースをスケジューリングする。
【００４４】
ＵＥがサイドリンク通信のためのカバレッジを外れている時、サイドリンクデータのための送信及び受信リソースプールセットは、ＵＥ内にあらかじめ構成される。ＵＥがサイドリンク通信のためのカバレッジ内にある時、サイドリンクデータのためのリソースプールは、次のように構成される。モード２が使われる場合、送信及び受信に使われるリソースプールは、専用または放送シグナリングでＲＲＣを介してｅＮＢにより構成される。モード１が構成されると、送信及び受信のためのリソースプールがない。
【００４５】
サイドリンク発見は、ＰＣ５を介してＥ−ＵＴＲＡ直接無線信号を使用して近接した他のＵＥを発見するためにサイドリンク発見をサポートするＵＥにより使われる手順として定義される。サイドリンク発見は、ＵＥがＥ−ＵＴＲＡＮによりサービスされる場合及びＵＥがＥ−ＵＴＲＡカバレッジを外れる場合の両方ともにサポートされる。Ｅ−ＵＴＲＡ範囲を外れると、ＰｒｏＳｅ可能な公共安全ＵＥのみがサイドリンク発見を実行することができる。公共安全サイドリンク発見のために、許容された周波数は、ＵＥであらかじめ構成され、ＵＥが該当周波数でＥ−ＵＴＲＡの範囲を外れる場合にも使われる。あらかじめ構成された周波数は、公共安全ＰｒｏＳｅ搬送波と同じ周波数である。
【００４６】
発見メッセージ公知には２つの類型のリソース割当がある。１番目は、ＵＥ自律リソース選択であって、これは発見メッセージを公知するためのリソースが非ＵＥ特定基準として割り当てられるリソース割当手順である。ＵＥ自律リソース選択は、タイプ１で呼ばれることもある。タイプ１で、ｅＮＢは、ＵＥに発見メッセージの公知に使われるリソースプール構成を提供する。該当構成は、放送または専用シグナリングでシグナリングされることができる。ＵＥは、指示されたリソースプールから無線リソースを自律的に選択して発見メッセージを公知する。ＵＥは、各発見周期の間に無作為に選択された発見リソース上に発見メッセージを公知することができる。
【００４７】
２番目は、スケジューリングされたリソース割当であって、これは発見メッセージを公知するためのリソースがＵＥ特定基準として割り当てられるリソース割当手順である。スケジューリングされたリソース割当は、タイプ２で呼ばれることもある。タイプ２で、ＲＲＣ＿ＣＯＮＮＥＣＴＥＤのＵＥは、ＲＲＣを介してｅＮＢから発見メッセージを公知するためのリソースを要求することができる。ｅＮＢは、ＲＲＣを介してリソースを割り当てる。リソースは、公知のためにＵＥ内に構成されたリソースプール内に割り当てられる。
【００４８】
ＲＲＣ＿ＩＤＬＥにあるＵＥの場合、ｅＮＢは、次のオプションの中から１つを選択することができる。ｅＮＢは、ＳＩＢ１９でタイプ１基盤の発見メッセージ公知のためのリソースプールを提供することができる。サイドリンク発見のために認可されたＵＥは、ＲＲＣ＿ＩＤＬＥで発見メッセージを知らせるためにこのリソースを使用する。または、ｅＮＢは、ＳＩＢ１９でサイドリンク発見をサポートするが、発見メッセージ公知のためのリソースを提供しないことを示すことができる。ＵＥは、発見メッセージ公知のためのリソースを要求するためにＲＲＣ＿ＣＯＮＮＥＣＴＥＤに進入する必要がある。
【００４９】
ＲＲＣ＿ＣＯＮＮＥＣＴＥＤにあるＵＥの場合、サイドリンク発見公知を実行するように許可されたＵＥは、サイドリンク発見公知を実行することを所望するとｅＮＢに指示する。また、ＵＥは、サイドリンク発見公知を所望する周波数をｅＮＢに知らせることができる。ｅＮＢは、ＭＭＥから受信されたＵＥコンテキストを使用してＵＥがサイドリンク発見公知のために認可されるかどうかを検証する。ｅＮＢは、専用シグナリングを介して発見メッセージ公知のためのタイプ１リソースプールをＵＥに構成できる。ｅＮＢは、発見メッセージ公知のために専用ＲＲＣシグナリングを介して専用リソースと共にリソースプールを時間及び周波数インデックス形態で構成できる。専用シグナリングを介してｅＮＢにより割り当てられたリソースは、ｅＮＢがＲＲＣシグナリングによりリソースを再構成し、またはＵＥがＲＲＣ＿ＩＤＬＥに進入する時まで有効である。
【００５０】
ＲＲＣ＿ＩＤＬＥ及びＲＲＣ＿ＣＯＮＮＥＣＴＥＤ内の許可された受信ＵＥは、タイプ１リソースプール及びタイプ２リソースプールをモニタリングする。ｅＮＢは、ＲＲＣシグナリング（ＳＩＢ１９）で周波数内、同じまたは異なるＰＬＭＮセルの周波数間の発見メッセージモニタリングに使われるリソースプール構成を提供する。ＲＲＣシグナリング（ＳＩＢ１９または専用）は、周波数内、同じまたは異なるＰＬＭＮの周波数間のセルでサイドリンク発見の公知に使われる詳細なサイドリンク発見構成を含むことができる。
【００５１】
Ｖ２Ｘ（vehicle-to-everything）通信について説明する。Ｖ２Ｘ通信は、Ｖ２Ｖ（vehicle-to-vehicle）通信、Ｖ２Ｉ（vehicle-to-infrastructure）通信、Ｖ２Ｎ（vehicle-to-network）、及びＶ２Ｐ（vehicle-to-pedestrian）通信の４つの類型がある。このようなＶ２Ｘの４つの類型は、最終ユーザのためのより知能的なサービスを提供するために「協同意識」を使用することができる。これは、車両、ＲＳＵ（road side unit）、及び歩行者などの運送個体が当該地域環境（例えば、近接した他の車両又はセンサー装備から受信した情報）に関する知識を収集し、協同衝突警告または自律走行などの知能型サービスを提供できるように該当知識を処理して共有することができることを意味する。
【００５２】
Ｖ２Ｘサービスは、３ＧＰＰ送信を介してＶ２Ｖアプリケーションを使用する送信または受信ＵＥを含む通信サービスの一類型である。通信に参加した相手によって、Ｖ２Ｘサービスは、Ｖ２Ｖサービス、Ｖ２Ｉサービス、Ｖ２Ｐサービス及びＶ２Ｎサービスに分けられる。Ｖ２Ｖサービスは、通信の両側ともＶ２Ｖアプリケーションを使用するＵＥであるＶ２Ｘサービスの類型である。Ｖ２Ｉサービスは、通信の一側がＵＥであり、他側がＲＳＵであり、両側ともＶ２Ｉアプリケーションを使用するＶ２Ｘサービスの類型である。ＲＳＵは、Ｖ２Ｉアプリケーションを使用してＵＥと送受信できるＶ２Ｉサービスをサポートするエンティティである。ＲＳＵは、ｅＮＢまたは固定ＵＥで実現される。Ｖ２Ｐサービスは、通信の両側ともＶ２Ｐアプリケーションを使用するＵＥであるＶ２Ｘサービスの類型である。Ｖ２Ｎサービスは、通信の一側がＵＥであり、他側がサービングエンティティであり、両方ともＶ２Ｎアプリケーションを使用してＬＴＥネットワークエンティティを介して互いに通信するＶ２Ｘサービスの類型である。
【００５３】
Ｖ２Ｖで、Ｅ−ＵＴＲＡＮは、許容、認可及び近接性基準がみたされる時、互いに近接したＵＥがＥ−ＵＴＲＡ（Ｎ）を使用してＶ２Ｖ関連情報を交換することを許容する。近接基準は、ＭＮＯ（mobile network operator）により構成されることができる。しかし、Ｖ２ＶサービスをサポートするＵＥは、Ｖ２ＸサービスをサポートするＥ−ＵＴＲＡＮによりサービスの提供を受ける時または提供を受けない時、そのような情報を交換することができる。Ｖ２ＶアプリケーションをサポートするＵＥは、アプリケーション階層情報（例えば、Ｖ２Ｖサービスの一部として、その位置、動的及び属性に対して）を送信する。Ｖ２Ｖペイロード（payload）は、互いに異なる内容を受容するために融通性があるべきであり、情報は、ＭＮＯにより提供された構成によって周期的に送信されることができる。Ｖ２Ｖは、主に放送基盤である。Ｖ２Ｖは、互いに異なるＵＥ間にＶ２Ｖ関連アプリケーション情報を直接交換することを含み、及び／またはＶ２Ｖの制限された直接通信範囲によって、互いに異なるＵＥ間にＶ２Ｖ関連アプリケーション情報をＶ２Ｘサービスをサポートする基盤構造（例えば、ＲＳＵ、アプリケーションサーバ等）を介して交換することを含む。
【００５４】
Ｖ２Ｉで、Ｖ２ＩアプリケーションをサポートするＵＥは、アプリケーション階層情報をＲＳＵに送信する。ＲＳＵは、アプリケーション階層情報をＵＥグループまたはＶ２ＩアプリケーションをサポートするＵＥに送信する。
【００５５】
Ｖ２Ｐで、Ｅ−ＵＴＲＡＮは、許容、認可及び近接性基準がみたされる時、互いに近接したＵＥがＥ−ＵＴＲＡＮを使用してＶ２Ｐ関連情報を交換することを許容する。近接基準は、ＭＮＯにより構成されることができる。しかし、Ｖ２ＰサービスをサポートするＵＥは、Ｖ２ＸサービスをサポートするＥ−ＵＴＲＡＮによりサービスされない時にも、このような情報を交換することができる。Ｖ２ＰアプリケーションをサポートするＵＥは、アプリケーション階層情報を送信する。このような情報は、Ｖ２Ｘサービスをサポートする車両ＵＥ（例えば、歩行者に警告）及び／またはＶ２Ｘサービスをサポートする歩行者ＵＥ（例えば、車両に警告）により放送されることができる。Ｖ２Ｐは、互いに異なるＵＥ間（１つは車両、他の１つは歩行者）にＶ２Ｖ関連アプリケーション情報を直接交換することを含み、及び／またはＶ２Ｐの制限された直接通信範囲によって、互いに異なるＵＥ間にＶ２Ｐ関連アプリケーション情報をＶ２Ｘサービスをサポートする基盤構造（例えば、ＲＳＵ、アプリケーションサーバ等）を介して交換することを含む。
【００５６】
Ｖ２Ｘ通信で、ＣＡＭ（common awareness messages）、ＤＥＮＭ（decentralized environmental notification messages）またはＢＳＭ（basic safety message）などのメッセージが送信されることができる。ＣＡＭは、車両の種類、位置、速度、方向などの情報を含み、全ての車両により周期的に放送されることができる。ＤＥＮＭは、特定イベントのタイプ、特定イベントが発生した地域などの情報を含み、ＲＳＵまたは車両により放送されることができる。ＢＳＭは、米国のＪ２７３５安全メッセージに含まれ、ＣＡＭと類似の特徴を有する。ＢＳＭを介して緊急ブレーキ警告、前方追突警告、交差路安全サポート、死角地帯及び車線変更警告、追い越し警告、制御不能警告サービスが提供されることができる。
【００５７】
ＰＣ５インターフェースを介したＶ２Ｘサービスのサポートは、ＵＥがＰＣ５インターフェースを介して直接通信することができる通信モードであるＶ２Ｘサイドリンク通信によって提供される。このような通信モードは、ＵＥがＥ−ＵＴＲＡＮによってサービングされる時、及びＵＥがＥ−ＵＴＲＡカバレッジの外部にある時にサポートされる。Ｖ２Ｘサービスのために印加されたＵＥのみがＶ２Ｘサイドリンク通信を実行することができる。
【００５８】
サイドリンク通信のためのユーザ平面プロトコルスタック及び機能が、Ｖ２Ｘサイドリンク通信にも用いられる。また、Ｖ２Ｘサイドリンク通信の場合、サイドリンク通信のためのＳＴＣＨは、Ｖ２Ｘサイドリンク通信のためにも用いられる。さらに、非Ｖ２Ｘ（例えば、公共安全）データは、Ｖ２Ｘサイドリンク通信のために構成されたリソースから送信されたＶ２Ｘデータと共に多重化されない。サイドリンク通信のためのＳＢＣＣＨに対する制御平面プロトコルスタック及び機能が、Ｖ２Ｘサイドリンク通信にも用いられる。
【００５９】
Ｖ２Ｘサイドリンク通信をサポートするＵＥは、リソース割当のための２つモードで動作することができる。１番目のモードは、スケジューリングされたリソース割当である。Ｖ２Ｘサイドリンク通信のためのスケジューリングされたリソース割当は、モード３と呼ばれ得る。ＵＥは、データを送信するためにＲＲＣ＿ＣＯＮＮＥＣＴＥＤにある必要がある。ＵＥは、ｅＮＢから送信リソースを要求する。ｅＮＢは、サイドリンク制御情報及びデータの送信のための送信リソースをスケジュールする。２番目のモードは、ＵＥ自律リソース選択である。Ｖ２Ｘサイドリンク通信のためのＵＥ自律リソース選択は、モード４と呼ばれ得る。ＵＥはサイドリンク制御情報及びデータを送信するために、自体的にリソースプールからリソースを選択し、送信フォーマットの選択を実行する。領域（ｚｏｎｅ）とＶ２Ｘサイドリンク送信リソースプール間のマッピングが構成されると、ＵＥは、ＵＥが位置した領域に基づいてＶ２Ｘサイドリンクリソースプールを選択する。
【００６０】
ＵＥはサイドリンクリソースの（再）選択のための感知（ｓｅｎｓｉｎｇ）を実行する。感知結果に基づき、ＵＥは特定のサイドリンクリソースを（再）選択し、複数のサイドリンクリソースを予約する。最大２個の並列的かつ独立的なリソース予約のプロセスがＵＥによって実行されるように許可される。ＵＥはまた、Ｖ２Ｘサイドリンクの送信のために単一リソースの選択を実行することが許可される。地理的領域は、ｅＮＢによって構成されてもよく、予め構成されてもよい。領域が構成されると、全世界は単一固定参照地点（即ち、地理的座標（０、  ０））、長さ及び幅を使用して地理的領域に分割される。ＵＥは、各領域の長さ及び幅、長さ及び幅による領域の数、並びに単一固定参照地点を用いるモジュロ（ｍｏｄｕｌｏ）演算によって領域ＩＤ（ｉｄｅｎｔｉｔｙ）を決定する。各領域の長さ及び幅、長さ及び幅による領域の数は、ＵＥがカバレッジ内にある時はｅＮＢによって提供され、ＵＥがカバレッジ外にある時は予め構成される。領域は、カバレッジ内にあるＵＥ及びカバレッジ外にあるＵＥに対して全て構成可能である。カバレッジ内にあるＵＥに対して、ＵＥがＵＥ自律リソース選択（即ち、モード４）を用いる時、ｅＮＢはＳＩＢ２１で領域とＶ２Ｘサイドリンク送信リソースプール間のマッピングを提供することができる。カバレッジ外にあるＵＥに対して、領域とＶ２Ｘサイドリンク送信リソースプール間のマッピングは、予め構成されることができる。領域とＶ２Ｘサイドリンク送信リソースプール間のマッピングが、（予め）構成された場合、ＵＥは自身が現在位置する領域に対応するリソースプールからサイドリンク送信リソースを選択する。領域の概念は、受信プールだけでなく、例外的なＶ２Ｘサイドリンク送信プールにも適用されない。Ｖ２Ｘサイドリンク通信のためのリソースプールは、優先順位に基づいて構成されない。
【００６１】
Ｖ２Ｘサイドリンク送信のために、ハンドオーバーの間に送信中断を減少させることができるように、ターゲットセルのための例外的な送信リソースプールを含む送信リソースプールの構成がハンドオーバーの命令を通じてシグナリングされることができる。これによって、ターゲットセルとの同期化が実行される限り、ＵＥはハンドオーバーが完了となる前にターゲットセルのサイドリンク送信リソースプールを用いることができる。例外的な送信リソースプールがハンドオーバーの命令に含まれると、ＵＥはハンドオーバーの命令の受信から始めて、例外的な送信リソースプールから任意に選択されたリソースを用い始める。ＵＥがハンドオーバーの命令でスケジューリングされたリソース割当（即ち、モード３）で構成されると、ＵＥはハンドオーバーと関連したタイマーが実行される間、例外的な送信リソースプールを用い続ける。ＵＥがターゲットセルでＵＥ自律リソース選択（即ち、モード４）で構成されると、ＵＥはＵＥ自律リソース選択のための送信リソースプールに対する初期の感知が完了となるまで例外的な送信リソースプールを用い続ける。例外的な場合（例えば、ＲＬＦ（ｒａｄｉｏ  ｌｉｎｋ  ｆａｉｌｕｒ）の途中、ＲＲＣ＿ＩＤＬＥからＲＲＣ＿ＣＯＮＮＥＣＴＥＤへの遷移の途中、又はセル内で専用サイドリンクリソースプールの変更の途中）、ＵＥは感知に基づいて、サービングセルのＳＩＢ２１で提供された例外的な送信リソースプールからリソースを選択し、仮に用いることができる。ターゲットセルから放送された受信プールを獲得することにおいて遅延によるＶ２Ｘメッセージ受信の中断時間を避けるために、ターゲットセルに対する同期化構成及び受信リソースプールの構成は、ハンドオーバーの命令でＲＲＣ＿ＣＯＮＮＥＣＴＥＤのＵＥにシグナリングされることができる。ＲＲＣ＿ＩＤＬＥのＵＥの場合、ターゲットセルのＳＩＢ２１の獲得と関連したサイドリンクの送信／受信の中断時間を最小化することは、ＵＥの具現にかかっている。ＵＥはＶ２Ｘサイドリンク通信のために用いられる搬送波上でセルを検出する毎に、ＵＥは該当搬送波上でカバレッジ内にあると見なされる。Ｖ２Ｘサイドリンク通信のために印加されたＵＥが、Ｖ２Ｘサイドリンク通信のためのカバレッジ内にあれば、ＵＥはｅＮＢの構成によってスケジューリングされたリソース割当（即ち、モード３）又はＵＥ自律リソース選択（即ち、モード４）を用いることができる。ＵＥがＶ２Ｘサイドリンク通信のためのカバレッジ外にある時、データのための送信及び受信リソースプールの集合は、ＵＥで予め構成される。Ｖ２Ｘサイドリンク通信のリソースは、サイドリンク通信を介して送信される他の非Ｖ２Ｘアプリケーションと共有されない。
【００６２】
ＲＲＣ＿ＣＯＮＮＥＣＴＥＤのＵＥは、サイドリンクのリソースを要求するためにＶ２Ｘ通信の送信に関心がある場合、サービングセルにサイドリンクのＵＥ情報メッセージを送信することができる。ＵＥがＶ２Ｘ通信を受信するために上位層によって構成され、ＰＣ５リソースが提供されると、ＵＥは構成されたリソースを受信する。
【００６３】
サービングセルは、Ｖ２Ｘサイドリンク通信に用いられる搬送波に対する同期化の構成を提供することができる。この場合、ＵＥはサービングセルから受信された同期化の構成に従う。Ｖ２Ｘサイドリンク通信のために用いられる搬送波上でセルが検出されず、ＵＥがサービングセルから同期化の構成を受信できなければ、ＵＥは予め構成された同期化の構成に従う。同期化の基準には、ｅＮＢ、ＵＥ及びＧＮＳＳ（ｇｌｏｂａｌ  ｎａｖｉｇａｔｉｏｎ  ｓａｔｅｌｌｉｔｅ  ｓｙｓｔｅｍ）の三つの類型がある。ＧＮＳＳが同期化のソースとして構成される場合に、ＵＥは直接フレーム番号及びサブフレーム番号を計算するために、ＵＴＣ（ｃｏｏｒｄｉｎａｔｅｄ  ｕｎｉｖｅｒｓａｌ  ｔｉｍｅ）時間を用いる。Ｖ２Ｘのための専用搬送波に対して、ｅＮＢのタイミングがＵＥに対する同期化の基準として構成される場合、ＵＥは同期化及びＤＬ測定のためにＰＣｅｌｌ（ＲＲＣ＿ＣＯＮＮＥＣＴＥＤ）／サービングセル（ＲＲＣ＿ＩＤＬＥ）に従う。
【００６４】
効果的なＶ２Ｘサイドリンク通信をサポートするために、ＰＣ５上の混雑測定のために、チャネル混雑率（ＣＢＲ：channel busy ratio）が定義されることができる。ＣＢＲは、特定の時間区間（例えば、１００ｍｓ）の間に観察されたＳ−ＲＳＳＩ（sidelink received signal strength indicator）が（事前）構成された閾値を超過するサブチャネルの部分の割合として定義されることができる。ただリソースプールに含まれたサブチャネルのみがＣＢＲ測定に用いられることができる。モード３のＵＥの場合、ｅＮＢはＵＥがＣＢＲ測定を行うリソースの集合を指示することができる。モード４のＵＥの場合、ＣＢＲ測定は、リソースプール特定に行われることができる。ＵＥは、少なくとも現在送信リソースプール、つまり、現在Ｖ２Ｘサイドリンク通信を行うために使用される送信リソースプールに対してＣＢＲ測定を行うことができる。ＵＥが現在送信リソースプールではない送信リソースプールに対してＣＢＲ測定を行うか否かは議論中である。また、ＵＥは、ＣＢＲ測定の結果をｅＮＢに報告することができる。
【００６５】
以下、本発明の多様な実施形態によってＣＢＲと関連したＵＥまたはネットワークの多様な動作が提案される。
【００６６】
１．ＣＢＲ情報放送
次のように、ＵＥが現在送信リソースプールに関するＣＢＲ情報を使用できない状況が存在することがある。
１）ＵＥが現在送信リソースプールに対してのみＣＢＲ測定を行い、ＵＥが移動することによって送信リソースプールが変更された場合
２）ＵＥがサービングセルを変更し、サービングセルを変更する前にＣＢＲ測定を行わなかった場合
３）感知能力のない歩行者（pedestrian）ＵＥ（Ｐ−ＵＥ）の場合
【００６７】
ＵＥが現在送信リソースプールに対してＣＢＲ情報を使用できない場合、Ｖ２Ｘ通信のための送信パターン及び／又はパラメータが調整されないことがある。結果的に、使用可能なＣＢＲ情報を有するＵＥが低い優先順位 のトラフィックを有し、使用可能なＣＢＲ情報を有するＵＥに比べて好まれない可能性がある。従って、Ｖ２Ｘ通信のための送信パターン／パラメータの調整を全てのＵＥに公正に適用するために、セル内の全てのＵＥがＣＢＲ情報を利用できるようにすることが必要である。
【００６８】
図４は、本発明の一実施形態によってｅＮＢがＣＢＲ情報を送信する方法を示す。段階Ｓ１００で、ｅＮＢは、Ｖ２Ｘ通信のために使用されるリソースプール別にサイドリンクチャネルのＣＢＲ情報をセル内のＵＥに放送する。前記ＣＢＲ情報は、０と１００間の百分率で表示されるＣＢＲ値を含むことができる。前記ＣＢＲ値は、０から１００間でｘ単位で値を有することができる。例えば、ｘ＝１０の場合、前記ＣＢＲ値は、｛０，１０，２０．．．１００｝のうちの値のうちいずれか１つであり得る。また、前記ＣＢＲ情報は、連関したリソースプールＩＤ情報を含むことができる。
【００６９】
前記ＣＢＲ情報は、Ｖ２Ｘサイドリンク通信のためのＳＩＢ（system information block type）２１を介して放送されることができる。または、ＣＢＲ情報のアップデート頻度がＳＩＢ２１に含まれる既存の情報と異なる場合、新しいＳＩＢを介して放送されることもできる。
【００７０】
図５は、本発明の一実施形態によってＵＥがＣＢＲ情報を使用する方法を示す。段階Ｓ２００で、ＵＥは、Ｖ２Ｘ通信のために使用されるリソースプール別にサイドリンクチャネルのＣＢＲ情報をｅＮＢから受信する。段階Ｓ２１０で、ＵＥは、使用可能なＣＢＲがあるか否かを決定する。使用可能なＣＢＲがないと決定された場合、段階Ｓ２２０で、ＵＥは、前記受信したＣＢＲ情報を使用する。使用可能なＣＢＲがあると決定された場合、ＵＥは、前記受信したＣＢＲ情報を無視することができる。
【００７１】
前記ＣＢＲ情報は、０と１００間の百分率で表示されるＣＢＲ値を含むことができる。前記ＣＢＲ値は、０から１００間でｘ単位で値を有することができる。例えば、ｘ＝１０の場合、前記ＣＢＲ値は、｛０，１０，２０．．．１００｝のうちの値のいずれか１つであり得る。また、前記ＣＢＲ情報は、連関したリソースプールＩＤ情報を含むことができる。また、前記ＣＢＲ情報は、Ｖ２Ｘサイドリンク通信のためのＳＩＢ２１を介して受信されることができる。または、ＣＢＲ情報のアップデート頻度がＳＩＢ２１に含まれる既存の情報と異なる場合、新しいＳＩＢを介して受信されることもできる。
【００７２】
２．ＣＢＲ報告構成及び報告
（１）１段階：ネットワークはＣＢＲ報告の構成を構成する。前記ＣＢＲ報告の構成は、測定対象に関する情報を含む。前記測定対象に関する情報は、例外的なリソースプールを含むリソースプールＩＤであり得る。
【００７３】
前記ＣＢＲ報告の構成は、ＵＥ別に、リソースプール別に、又は優先順位別に構成されることができる。ＣＢＲ報告は、イベントによりトリガーされて報告されるか、または、周期的に報告されることができる。このようなＣＢＲ報告のトリガータイプは、リソースプール別に又は優先順位別に構成されることができる。
【００７４】
ＣＢＲ報告がイベントによりトリガーされる場合、次のイベントが定義されることができる。
−イベント１：現在リソースプールのＣＢＲが提供されたＣＢＲレベル＋オフセット以上である。
−イベント２：現在リソースプールのＣＢＲが提供されたＣＢＲレベル−オフセット以上である。
−イベント３：現在リソースプールのＣＢＲが該当リソースプールに対して最後に報告されたＣＢＲ値よりオフセットだけ高いか低い。
【００７５】
ＣＢＲレベルは、専用シグナリングまたは放送シグナリングで提供されることができる。提供されたＣＢＲレベルは、現在リソースプールのＣＢＲレベルであり得る。ＣＢＲレベルが専用シグナリングで提供されない場合、ＵＥは、放送シグナリングを介して提供されたＣＢＲ情報を使用することができる。オフセットも、専用シグナリングまたは放送シグナリングを介して提供されることができる。また、ＣＢＲレベルは、放送シグナリングを介して提供され、オフセットは、専用シグナリングを介して構成されることができる。
【００７６】
また、ＣＢＲ報告がイベントによりトリガーされる場合、前記ＣＢＲ報告の構成は、トリガーする時間（ＴＴＴ：time to trigger）に関する情報を含むことができる。これは、ＣＢＲ報告をトリガーするイベントのための特定基準が満足しなければならない時間区間を示す。前記トリガーする時間は、ＵＥ別に、リソースプール別に、または優先順位別に構成される。
【００７７】
ＣＢＲ報告が周期的に報告される場合、周期的報告タイマーがＵＥ別に、リソースプール別に、または優先順位別に構成される。タイマー値がリソースプール別にまたは優先順位別に構成される場合、リソースプール別にまたは優先順位別に相異なるタイマーが実行されることができる。
【００７８】
以上の説明において、優先順位はＰＰＰＰ（ProSe per-packet-priority）であり得る。
【００７９】
（２）２段階：ＵＥは、関連パラメータ（例えば、ＴＴＴ）を利用して構成された測定対象に対してＣＢＲ測定を行う。ＵＥは、リソースプールまたは優先順位に対するイベントが充足されるか、周期的タイマーが満了すると、測定報告をトリガーする。
【００８０】
３．ＣＢＲ基盤経路転換
サイドリンクの混雑度が高い場合、送信パターンの調整が不可能となる可能性がある。このような場合、トラフィック送信をサイドリンク（すなわち、ＰＣ５インターフェース）からアップリンク（Ｕｕインターフェース）に転換することが好ましい。ＲＲＣ＿ＣＯＮＮＥＣＴＥＤのＵＥに対して、ネットワークは報告されたＣＢＲ情報に基づいてＵＥの経路を制御することができる。ネットワークがサイドリンクに高度の過負荷があると決定すると、ネットワークは、ＵＥがアップリンクを介してトラフィックを転送できるように構成された専用サイドリンクリソースを解除することができる。
【００８１】
一方、ＲＲＣ＿ＩＤＬＥのＵＥの場合、サイドリンクとアップリンク間を転換する明確な基準が存在しなければならない。そうでないと、ＵＥは、混雑度を緩和させるためにそれ自体にペナルティを課さないだろう。ＵＥは、送信パターンを変更することはなく、これにより混雑度が改善されないこともある。このような現象を避けるために、ネットワークが、ＲＲＣ＿ＩＤＬＥのＵＥがサイドリンクからアップリンクに転換するための明示的な基準を提供することが必要である。
【００８２】
ＣＢＲ基盤の経路転換を行う具体的な方法は次のようである。ここで、ＵＥが現在サイドリンクを使用していると仮定する。
【００８３】
（１）１段階：ＵＥは、現在送信リソースプール及び／又は放送／専用シグナリングにより提供されるリソースプールに対してＣＢＲ測定を行う。ＵＥは、後述する２段階で測定されるリソースプール情報を受信した後、ＣＢＲ測定を開始することができる。
【００８４】
（２）２段階：ネットワークは、放送／専用シグナリングを介してＣＢＲレベル情報を提供する。ＣＢＲレベル情報は、次の情報のうち少なくとも１つを含む。
−ＵＥがアップリンクに転換することが許容されるＣＢＲ値
−送信／受信のために許容されるインターフェース（サイドリンク、アップリンク、又は両方とも）及びＣＢＲ範囲情報
−前記ＣＢＲ値または前記ＣＢＲ範囲情報と関連したリソースプールＩＤ（pool identity）
【００８５】
前記リソースプール情報が提供され、ＵＥがリソースプールを使用すると、ＵＥは、リソースプールに対して関連したＣＢＲ値またはＣＢＲ範囲を適用することができる。
【００８６】
（３）３段階：ＵＥのＣＢＲ測定結果が前記ＣＢＲ値以上であると、ＵＥは、ＲＲＣ接続の確立をトリガーする。具体的に、ＵＥのＡＳ階層は、上位階層（例えば、ＮＡＳ階層）にアップリンクへの転換の必要性を知らせ、ＵＥのＮＡＳ階層は、ＲＲＣ接続の確立をトリガーする。現在送信リソースプールのＣＢＲが１つのＣＢＲ範囲内にあると、ＵＥのＡＳ階層は、許容されたインターフェースを上位階層に知らせ、上位階層は経路を決定することができる。結果的に、送信／受信のためにアップリンクに経路が転換されることができる。
【００８７】
図６は、本発明の実施形態が実現される無線通信システムを示す。
【００８８】
ｅＮＢ８００は、プロセッサ（processor）８１０、メモリ（memory）８２０及び送受信部（transceiver）８３０を含む。プロセッサ８１０は、本明細書で説明された機能、過程及び／または方法を実現するように構成されることができる。無線インターフェースプロトコルの階層は、プロセッサ８１０により実現されることができる。メモリ８２０は、プロセッサ８１０と連結され、プロセッサ８１０を駆動するための多様な情報を格納する。送受信部８３０は、プロセッサ８１０と連結され、無線信号を送信及び／または受信する。
【００８９】
ＵＥ９００は、プロセッサ９１０、メモリ９２０及び送受信部９３０を含む。プロセッサ９１０は、本明細書で説明された機能、過程及び／または方法を実現するように構成されることができる。無線インターフェースプロトコルの階層は、プロセッサ９１０により実現されることができる。メモリ９２０は、プロセッサ９１０と連結され、プロセッサ９１０を駆動するための多様な情報を格納する。送受信部９３０は、プロセッサ９１０と連結され、無線信号を送信及び／または受信する。
【００９０】
プロセッサ８１０、９１０は、ＡＳＩＣ（application-specific integrated circuit）、他のチップセット、論理回路、及び／又はデータ処理装置を備えることができる。メモリ８２０、９２０は、ＲＯＭ（read-only memory）、ＲＡＭ（random access memory）、フラッシュメモリ、メモリカード、格納媒体、及び／又は他の格納装置を備えることができる。送受信部８３０、９３０は、無線周波数信号を処理するためのベースバンド回路を備えることができる。実施形態がソフトウェアで実現されるとき、上述した技法は、上述した機能を果たすモジュール（過程、機能等）で実現されることができる。モジュールは、メモリ８２０、９２０に格納され、プロセッサ８１０、９１０により実行されることができる。メモリ８２０、９２０は、プロセッサ８１０、９１０の内部または外部にありうるし、よく知られた様々な手段にてプロセッサ８１０、９１０と連結されることができる。
【００９１】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、異なるステップと、前述と異なる順序にまたは同時に発生できる。また、当業者であれば、フローチャートに示すステップが排他的でなく、他のステップが含まれ、または 流れ図の１つまたはそれ以上のステップが本発明の範囲に影響を及ぼさずに削除可能であることを理解することができる。
【図１】
2019533380.tif 000003
【図２】
2019533380.tif 000004
【図３】
2019533380.tif 000005
【図４】
2019533380.tif 000006
【図５】
2019533380.tif 000007
【図６】
2019533380.tif 000008
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
無線通信システムでｅＮＢ（ｅＮｏｄｅＢ）によるチャネル混雑率（ＣＢＲ：channel busy ratio）情報を送信する方法において、
Ｖ２Ｘ（vehicle-to-everything）通信のために使用されるリソースプール別にサイドリンクチャネルのＣＢＲ情報を端末（ＵＥ：user equipment）に送信することを含む方法。
【請求項２】
前記ＣＢＲ情報は、０と１００間の百分率で表示されるＣＢＲ値を含むことを特徴とする請求項１に記載の方法。
【請求項３】
前記ＣＢＲ値は、特定の時間区間の間にＳ−ＲＳＳＩ（sidelink received signal strength indicator）が閾値を超過するサブチャネルの部分の割合であることを特徴とする請求項２に記載の方法。
【請求項４】
前記ＣＢＲ情報は、前記リソースプールのＩＤ（identity）に関する情報を含むことを特徴とする請求項１に記載の方法。
【請求項５】
前記ＣＢＲ情報は、前記Ｖ２Ｘ通信のためのＳＩＢ（system information block type）２１を介して前記セル内の全ての端末に放送されて送信されることを特徴とする請求項１に記載の方法。
【請求項６】
無線通信システムで端末（ＵＥ：user equipment）によるチャネル混雑率（ＣＢＲ：channel busy ratio）情報を使用する方法において、
Ｖ２Ｘ（vehicle-to-everything）通信のために使用されるリソースプール別にサイドリンクチャネルのＣＢＲ情報をｅＮＢ（ｅＮｏｄｅＢ）から受信し、
使用可能なＣＢＲがない場合、前記ＣＢＲ情報に関連する送信パラメータを使用することを含む方法。
【請求項７】
使用可能なＣＢＲがある場合、前記受信したＣＢＲ情報は無視されることを特徴とする請求項６に記載の方法。
【請求項８】
前記ＣＢＲ情報は、０と１００間の百分率で表示されるＣＢＲ値を含むことを特徴とする請求項６に記載の方法。
【請求項９】
前記ＣＢＲ値は、特定の時間区間の間にＳ−ＲＳＳＩ（sidelink received signal strength indicator）が閾値を超過するサブチャネルの部分の割合であることを特徴とする請求項８に記載の方法。
【請求項１０】
前記ＣＢＲ情報は、前記リソースプールのＩＤ（identity）に関する情報を含むことを特徴とする請求項６に記載の方法。
【請求項１１】
前記ＣＢＲ情報は、前記Ｖ２Ｘ通信のためのＳＩＢ（system information block type）２１を介して受信されることを特徴とする請求項６に記載の方法。
【請求項１２】
無線通信システムで端末（ＵＥ：user equipment）において、
メモリと、
送受信部と、
前記メモリ及び前記送受信部と接続されるプロセッサとを含み、
前記プロセッサは、
Ｖ２Ｘ（vehicle-to-everything）通信のために使用されるリソースプール別にサイドリンクチャネルのチャネル混雑率（ＣＢＲ：channel busy ratio）情報をｅＮＢ（ｅＮｏｄｅＢ）から受信するように前記送受信部を制御し、
使用可能なＣＢＲがない場合、前記ＣＢＲ情報に関連する送信パラメータを使用することを特徴とする端末。
【国際調査報告】
2019533380.tif 000009
2019533380.tif 000010
2019533380.tif 000011
2019533380.tif 000012